(57)【要約】    【課題】曳舟上面に形成された開口に対する蓋の閉塞不良を防止することのできる鮎釣用曳舟の提供。    【解決手段】この鮎釣用曳舟１０は、曳舟本体１１を備えている。曳舟本体１１の内部に鮎を収容する収容室１８が形成されている。曳舟本体１１の上面１３には、収容室１８と連通する開口１７と、該開口１７を閉じる姿勢と開く姿勢との間で開閉する蓋１４とが設けられている。開口１７の周縁には開口１７の内側下方に向かって傾斜する座面４０が設けられている。【選択図】図７
2007110981.tif 000002
【特許請求の範囲】
【請求項１】
鮎を収容するための収容室及び該収容室に連通する開口が上面に設けられた曳舟本体と、
上記開口を閉じる姿勢と開く姿勢との間で姿勢変化することによって上記開口を開閉する蓋体と、
上記開口の周縁部に形成され、上記蓋体が上記開口を閉じる姿勢となったときに該蓋体を支持する座面と、を有し、
上記座面は、上記開口の内側下方に向かって傾斜している鮎釣用曳舟。
【請求項２】
上記座面は、上記開口の周方向に連続している請求項１に記載の鮎釣用曳舟。
【請求項３】
上記蓋体は上記座面と接触する当接面を有し、
上記当接面は、上記蓋体が上記開口を閉じる姿勢となったときに該当接面が上記座面と面接触するように、上記座面と同方向に傾斜している請求項１又は２に記載の鮎釣用曳舟。
【発明の詳細な説明】
【技術分野】
【０００１】
本発明は、鮎釣りの際にオトリとして使用される鮎を保管する曳舟に関し、特に、該曳舟の上面に形成された開口の閉塞構造に関するものである。
【背景技術】
【０００２】
鮎釣りにおいては「友釣り」と称される釣法がある。友釣りでは、生きた鮎がオトリとして使用される。釣人は、この鮎に釣針を装着してターゲットとなる鮎の縄張りに侵入させ、これにより、ターゲットとなる鮎のアタックを誘う。したがって、友釣りでは、体力のある鮎がオトリとして選定され、釣人は、常にオトリとなる鮎を注意深く観察し、鮎の体力が衰えたと判断した場合には、直ちにオトリとなる鮎を交換する。そのため、釣人は、実釣において複数のオトリ用の鮎を常に用意しておく必要がある。
【０００３】
一般に鮎釣りでは、釣人は、オトリ用の鮎を保管するするために、特許文献１及び２に掲載された「曳舟」と称される船形の容器を使用する。この曳舟は水面に浮かべて使用され、内部に鮎を収容する収容室を有する。曳舟には上記収容室の内部に水を取り込むための給水口と水を排出するための排水口が形成されている。これにより、曳舟が川面に浮かべられた際に収容室内に水流が生じ、新鮮な水が常時出入りするため、オトリとして使用する鮎を元気な状態で活かしておくことができる。
【０００４】
【特許文献１】特開平１１−１９６７４５号公報
【特許文献２】特開２００１−１９０２０２公報
【発明の開示】
【発明が解決しようとする課題】
【０００５】
上述した曳船の上面には上記収容室に連通する開口が設けられており、更にこの開口を開閉する蓋が設けられている（特許文献２の図５参照）。釣人は、この蓋を開閉して上記開口から鮎を出し入れする。上記開口の周縁には蓋が載置される座面が形成されている。上記開口を閉塞した蓋が上記座面上に載置される。これにより、蓋の安定した閉じ状態が維持される。
【０００６】
ところで、釣人が上記蓋を開閉して鮎を出し入れする際に、川砂利などの異物が上記開口の周縁に付着するおそれがある。このような異物が上記座面上に付着した場合は、上記蓋で上記開口を完全に閉塞することができなくなる。そのため釣人は、実釣中に開口に付着した異物を除去するという煩雑な作業を強いられ、釣りに集中することができなくなるという問題がある。
【０００７】
本発明は上記事情に鑑みてなされたものであり、その目的とするところは、曳舟上面に形成された開口に対する蓋の閉塞不良を防止することのできる鮎釣用曳舟を提供することにある。
【課題を解決するための手段】
【０００８】
(1)上記目的が達成されるため、本発明に係る鮎釣用曳舟は、鮎を収容するための収容室及び該収容室に連通する開口が上面に設けられた曳舟本体と、上記開口を閉じる姿勢と開く姿勢との間で姿勢変化することによって上記開口を開閉する蓋体と、上記開口の周縁部に形成され、上記蓋体が上記開口を閉じる姿勢となったときに該蓋体を支持する座面と、を有し、上記座面は、上記開口の内側下方に向かって傾斜している。
【０００９】
このように蓋体を支持する座面が内側に向かって下り傾斜しているため、釣人が上記開口から鮎を出し入れする際に川砂利などの異物が開口の周囲に付着した場合でも、該異物は座面に沿って収容室へ転がり落ちる。これにより、蓋体の閉塞不良が防止される。
【００１０】
(2)ここで、上記座面は、上記開口の周方向に連続していることが望ましい。これにより、蓋体と座面との接触部が増し、座面による蓋体の支持が安定する。
【００１１】
(3)また、本発明の鮎釣用曳舟において、上記蓋体は上記座面と接触する当接面を有し、上記当接面は、上記蓋体が上記開口を閉じる姿勢となったときに該当接面が上記座面と面接触するように、上記座面と同方向に傾斜している。これにより、蓋体は座面に面接触する。従って、蓋体は安定した状態で支持される。
【発明の効果】
【００１２】
本発明によれば、釣人が蓋体を開閉して上記開口から鮎を出し入れする際に川砂利などの異物が開口周縁に付着することがない。これにより、蓋体の閉塞不良が防止される。その結果、蓋体は開口に対して常に良好に開閉され得る。
【発明を実施するための最良の形態】
【００１３】
以下、適宜図面が参照されつつ、好ましい実施形態に基づいて本発明が詳細に説明される。ここに、図１乃至図３は本発明の一実施形態に係る鮎釣用曳舟１０の外観を示す斜視図であって、図１は船首側斜め上方から見た斜視図、図２は船尾側斜め上方から見た斜視図、図３は図２において蓋１４が開けられた状態を示す図である。また、図４は鮎釣用曳舟１０の左側面図、図５は鮎釣用曳舟１０の平面図、図６は鮎釣用曳舟１０の底面図、図７は図５におけるVII−VII線断面図、図８及び図９は鮎釣用曳舟１０の上面１３に設けられた開口１４の部分拡大図である。なお、図７は曳舟本体１１の断面形状のみを抽出して描かれている。
【００１４】
この鮎釣用曳舟１０は、鮎釣りの際にオトリとして使用される鮎を生きたまま保管するためのものである。鮎釣用曳舟１０は、実釣中に釣人の身体等に係留され、川面に浮かべられる。鮎釣用曳舟１０は、曳舟本体１１と、図示されていない係留ロープとを備えている。この係留ロープの一端部は、曳舟本体１１の船首に設けられたロープアンカー１２に連結され、他端部が例えば釣人の腰部に繋がれる。このように鮎釣用曳舟１０が係留されることで、水が一定の速度で曳舟本体１１の船首に当たる。このとき、上記ロープアンカー１２に連結された係留ロープが釣人の腰部に繋がれているため、実釣において係留ロープが川面と一定の角度をなし、鮎釣用曳舟１０は相対的に引っ張られることになる。
【００１５】
曳舟本体１１は、ボート状の外観を呈し、例えば、ＡＢＳ樹脂、アクリル樹脂（メチルメタアクリレート）、ポリプロピレン（ＰＰ）、ポリカーボネート（ＰＣ）等の樹脂から構成される。曳舟本体１１の内部は空洞になっており、この空洞により、鮎を収容する収容室１８（図３参照）が構成されている。
【００１６】
図６が示すように、曳舟本体１１には、給水口１９〜２１、排水口２２〜２４及び揚力調整口２５〜２７が設けられている。これらは、曳舟本体１１の内部に設けられた収容室１８と連通している。したがって、鮎釣用曳舟１０が川面に浮かべられると、水が曳舟本体１１の内部、すなわち上記収容室１８に進入する。この収容室１８に水が進入した場合であっても、鮎釣用曳舟１０が沈没しないように曳舟本体１１の内壁に発砲体などの浮力体３８が適宜貼り付けられるなどして、曳舟本体１１の浮力が設定されている。
【００１７】
上記給水口１９〜２１は、本体筐体１１の船首側の前面（以下「船首前面」と称する）に設けられている。各給水口１９〜２１は、鮎釣用曳舟１０の喫水線よりも下方に位置し、上記船首前面に左右対称に配置されている。従って、鮎釣用曳舟１０が川面に係留されたときに各給水口１９〜２１から水が収容室１８に流入する。また、各給水口１９〜２１は、細長の貫通孔からなり、上記船首前面に沿って上下方向に延びた楕円形状をしている。なお、給水口１９〜２１は、収容室１８に水を流入する機能を達成し得る範囲で、その位置や大きさ、数などが適宜変更され得る。
【００１８】
また、上記排水口２２〜２４は、本体筐体１１の左舷及び右舷の両側面（以下、それぞれの側面は「左舷側面」、「右舷側面」と称される）に設けられている。各排水口２２〜２４は、鮎釣用曳舟１０の喫水線よりも下方に位置し、上記左舷側面３０及び右舷側面２９に左右対称に配置されている。各排水口２２〜２４は、細長の貫通孔からなり、左舷側面及び右舷側面に沿って前後方向（水平方向）に延びている。鮎釣用曳舟１０の係留時には、収容室１８内の水は排水口２２〜２４から外部に排水される。なお、排水口２２〜２４の位置や大きさ、数は、収容室１８から水を排出する機能を排水口２２〜２４が達成し得る範囲で、適宜変更され得る。
【００１９】
さらに、図６が示すように、上記揚力調整口２５〜２７は、本体筐体１１の船底に設けられている。揚力調整口２５は、船底３１の幅方向の中央部に設けられ、揚力調整口２６、２７は、揚力調整口２５を中心として左右対称に配置されている。各揚力調整口２５〜２７は、細長の貫通孔からなり、上記船首前面と船底との間に亘るようにして船底の前後方向に沿って延びている。この揚力調整口２５〜２７が設けられているため、川面に鮎釣用曳舟１０が浮かべられた場合に、川面に対して常に上下動する曳舟本体１１に作用する揚力が調整される。
【００２０】
曳舟本体１１の上面１３には、図３が示すように、鮎を出し入れするための開口１７が設けられている。この開口１７は上記収容室１８に連通している。上記開口１７の周縁には、図７が示すように、開口１７の内側下方に向かって傾斜する座面４０が形成されている。この座面４０の水平面に対する傾斜角θは、微小な砂が座面４０の表面を転がり落ちる程度の角度、具体的には１５度乃至４５度、より好ましくは３０度乃至４０度に設定されている。また、上記座面４０は、座面４０は曳舟本体１１と一体に形成されており、図８が示すように、開口１７の周方向に連続するように、即ち、開口１７の縁に沿って周回するように形成されている。釣人はこの開口１７から鮎を出し入れする。従って、開口１７は、釣人が収容室１８に手を差し入れて鮎の取り出しが可能なように、少なくとも拳大よりも大きく形成されている。
【００２１】
また、曳舟本体１１の上面１３には、開口１７を開閉するための蓋１４（蓋体に相当）が設けられている。蓋１４は、ヒンジ１５を介して曳舟本体１１に取り付けられている。したがって、蓋１４は、図２に示すように倒伏して上記開口１７を閉塞する姿勢（閉じる姿勢）と、図３に示すように上記上面１３に対して起立して上記開口１７を開放する姿勢（開く姿勢）との間で回動自在となっている。図７が示すように、この蓋１４は、その外周縁に当接面４１を備えている。この当接面４１は、該蓋１４が閉塞姿勢にあるときに上記開口１７の座面４０と接触する。この当接面４１は、同図（ｂ）が示すように、上記開口１７の内側下方に向かって傾斜している。従って、蓋１４の閉塞姿勢となったときは、上記当接面４１が上記座面４０に対して面接触する。
【００２２】
なお、本実施形態では、図７（ａ）が示すように、蓋１４の当接面４１が座面４０に面接触することにより、蓋１４が座面４０で支持される支持構造について説明するが、本発明が当該支持構造に限定されることはない。例えば、上記支持構造の変形例として、図７（ｃ）に示す支持構造が考えられる。即ち、同図（ｃ）が示すように、上記開口１７の周縁に、該周縁から下方へ垂直に延びる壁部４４と該壁部４４から開口１７の内側下方に向かって傾斜する傾斜面４５とからなる座面４６が設けられている。また、上記蓋１４の外周縁に、該外周縁から下方へ垂直に延びる当接リブ４７が設けられている。蓋１４が閉塞姿勢にあるときに、当接リブ４７の下端が上記開口１７の座面４６に当接して蓋１４が座面４６で支持される支持構造であってもよい。
【００２３】
また、図１乃至図３に示すように、蓋１４はロック機構３５を備えている。このロック機構３５は、上記蓋１４が倒伏姿勢にあるとき、すなわちこの蓋１４が上記開口１７を閉塞しているときに、当該倒伏姿勢を維持し、釣人の意図しないときに蓋１４が開閉することを防止している。このロック機構３５は、曳舟本体１１に形成された孔３４と係合する係合片３６と、該係合片３６の係合外れを防止するとともに蓋１４の取っ手となるノブ３７とを備えている。上記ロック機構３５は、釣人がノブ３７を操作することによってロックを解除して上記蓋１４を開閉することができるようになっている。
【００２４】
本実施形態に係る鮎釣用曳舟１０では、この蓋１４に扉１６が設けられている。この扉１６は、いわゆる観音開き式の扉であり、曳舟本体１１の内側に開閉するようになっている。したがって、釣人は、上記蓋１４を開くことなく、釣れた鮎を扉１６から容易に上記収容室１８へ入れることができる。
【００２５】
このように構成された鮎釣用曳舟１０においては、釣人が蓋１４を開動作させることにより、図３に示す如く蓋１４が起立姿勢となる。このとき、蓋１４によって閉塞されていた開口１７が露出する。蓋１４が開かれることにより、釣人は、容易に鮎を上記収容室１８に出し入れすることができる。一方、釣人が蓋１４を閉動作させることにより、図２に示す如く蓋１４が倒伏姿勢となり、開口１７が閉塞される。
【００２６】
上記蓋１７を開けて開口１４から鮎を出し入れする際に、川砂利などの異物が開口１７の上記座面４０に付着する場合があるが、上述したように本実施形態では、座面４０が開口１７の下方に向かって傾斜しているため（図７参照）、付着した異物は座面４０に沿って収容室１８へ転がり落ちる。そのため、釣人が鮎の出し入れの後に蓋１７を閉塞させた場合でも、座面４０と当接面４１との間に異物が介在しなくなり、蓋１７の閉塞が不完全となるといった閉塞不良が防止される。鮎釣りの実釣では、釣人は極めて長尺の釣竿のほかタモ網その他の釣道具を携帯しなければならないことから、上記蓋１７の開閉操作において開閉不良が防止されることにより、ストレスのない実釣が可能となる。
【００２７】
また、本実施形態では、上記座面４０が、開口１７の周方向に連続するように形成されているため、蓋１４の当接面４１と座面４０との接触面積を広くとることができ、座面４０による蓋１４の支持が安定する。
【００２８】
また、上記当接面４１は上記座面４０に面接触するため、上記蓋１４は安定した状態で支持される。例えば、蓋１４に外力が加えられ、その外力が蓋１４を座面４１に沿って下方へ滑り落ちる方向に作用した場合でも、面接触により上記外力に抗して大きな摩擦力が働く。これにより、蓋１４が開口１７から収容室１８内に押し込まれるという不具合を生じさせることなく、蓋１４が支持される。
【００２９】
上述した実施形態は、図８が示すように、開口１７の周方向に連続するように座面４０が形成された例について開示しているが、この座面４０では、水とともに川砂利が座面４０に付着した場合は、水の張力によって川砂利が転がり落ちないおそれがある。このような問題に対して、例えば、図９が示すように、座面４０に代えて、開口１７の縁周りに沿って平板状のリブ４２を所定間隔毎に設けた変形例が考えられる。この変形例では、リブ４２が上下方向（紙面に垂直な方向）に延びるように設けられている。そして、この複数のリブ４２の上端によって蓋１４が支持されるようになっている。即ち、複数のリブ４２の上端が蓋１４を支持する座面に相当する。なお、リブ４２の配置間隔ｄは少なくとも隣り合うリブとリブとの間隙に川砂利などの異物が挟み込まれない程度に設定される。このように複数のリブ４２の上端で蓋１４を支持する構成を採用することにより、水分の付着量が減少し、川砂利の付着を好適に防止することができる。
【００３０】
なお、上述した実施形態及び実施例は本発明の一例にすぎず、本発明の要旨を変更しない範囲で、実施形態及び実施例を適宜変更することができる。
【産業上の利用可能性】
【００３１】
本発明は、鮎釣りに使用される曳舟に好適に利用され得る。
【図面の簡単な説明】
【００３２】
【図１】本発明の一実施形態に係る鮎釣用曳舟１０の船首側斜め上方からの斜視図。
【図２】本発明の一実施形態に係る鮎釣用曳舟１０の船尾側斜め上方からの斜視図。
【図３】図２において蓋１４が開けられた状態を示す図。
【図４】本発明の一実施形態に係る鮎釣用曳舟１０の左側面図。
【図５】本発明の一実施形態に係る鮎釣用曳舟１０の平面図。
【図６】本発明の一実施形態に係る鮎釣用曳舟１０の底面図。
【図７】図５におけるVII−VII線断面図
【図８】鮎釣用曳舟１０の上面１３に設けられた開口１４の部分拡大図。
【図９】鮎釣用曳舟１０の上面１３に設けられた開口１４の部分拡大図。
【符号の説明】
【００３３】
１０・・・鮎釣用曳舟
１１・・・曳舟本体
１３・・・上面
１５・・・ヒンジ
１６・・・扉
１７・・・開口
１８・・・収容室
１９，２０，２１・・・給水口
２２，１３，２４・・・排水口
２５，２６，２７・・・揚力調整口
３４・・・孔
３５・・・ロック機構
３６・・・係合片
３７・・・ノブ
３８・・・浮力体
４０・・・座面
４１・・・当接面
４２・・・リブ
４６・・・座面
４７・・・当接リブ
【図１】
2007110981.tif 000003
【図２】
2007110981.tif 000004
【図３】
2007110981.tif 000005
【図４】
2007110981.tif 000006
【図５】
2007110981.tif 000007
【図６】
2007110981.tif 000008
【図７】
2007110981.tif 000009
【図８】
2007110981.tif 000010
【図９】
2007110981.tif 000011